(57)【要約】【課題】マウスとカメラの双方の機能を備え、ディスプレイ上の画面のカーソル位置変更の操作性を向上した座標情報入力装置を提供する。【解決手段】マウス筐体１は、画像データを捉えるカメラ部６と、ディスプレイ上の画面を操作する左マウスボタン２および右マウスボタン３と、座標位置情報入力機能とカメラ機能との切り替えを行う機能選択ボタン４と、変位処理回路７と、画像処理回路８と、制御回路９と、インターフェース回路５とを具備し、且つ、操作者の指に装着できる中空穴１ａを有する。【選択図】　　　図１
2004145527.tif 000002
【特許請求の範囲】
【請求項１】
座標位置情報を入力してコンピュータのディスプレイ上の画面を操作する左マウスボタンおよび右マウスボタンと、画像データを捉えるためのカメラ部と、座標位置情報入力機能とカメラ機能との切り替え操作を行う機能選択ボタンと、前記カメラ部が捉えた画像データを受信し移動量を算出する変位処理回路と、前記カメラ部が捉えた画像データを受信しアナログデータからデジタルデータに変換する画像処理回路と、前記変位処理回路と前記画像処理回路と前記機能選択ボタンからの入力信号を制御する制御回路と、前記コンピュータと接続されるインターフェース回路と、前記左マウスボタンと前記右マウスボタンと前記カメラ部と前記機能選択ボタンと前記変位処理回路と前記画像処理回路と前記制御回路と前記インターフェース回路とを実装するマウス筐体とを有し、前記マウス筐体は、中空穴を有することを特徴とする座標情報入力装置。
【請求項２】
前記中空穴は、円筒形状を有することを特徴とする請求項１記載の座標情報入力装置。
【請求項３】
前記マウス筐体は、前記コンピュータの操作者の指に装着されることを特徴とする請求項１記載の座標情報入力装置。
【請求項４】
前記制御回路は、前記機能選択ボタンからの受信信号により座標位置情報入力機能とカメラ機能とを切り替える機能切り替え回路を有することを特徴とする請求項１記載の座標情報入力装置。
【請求項５】
前記制御回路は、前記変位処理回路により算出された移動量を座標位置の移動量に変換する座標位置変換回路を有することを特徴とする請求項１記載の座標情報入力装置。
【請求項６】
前記制御回路は、前記画像処理回路から入力されたデジタル画像データを拡大・縮小する画像拡縮回路を有することを特徴とする請求項１記載の座標情報入力装置。
【請求項７】
前記機能選択ボタンは、１回押すことにより座標位置情報入力機能が有効となり、２回押すことによりカメラ機能が有効となることを特徴とする請求項１または４記載の座標情報入力装置。
【請求項８】
前記インターフェース回路は、無線インターフェース回路を有することを特徴とする請求項１記載の座標情報入力装置。
【請求項９】
前記マウス筐体は、指の移動により前記カメラ部が捉える画像データが変化し、変化した画像データが前記変位処理回路へ送信され、前記変位処理回路が変化した画像データと移動前に受信した画像データとを比較して移動量を算出し、算出した移動量を前記制御回路へ送信することにより、前記ディスプレイ上の画面のカーソル位置の変更がなされることを特徴とする請求項１記載の座標情報入力装置。
【請求項１０】
前記カメラ部は、デジタルカメラ機能を有することを特徴とする請求項１記載の座標情報入力装置。
【発明の詳細な説明】
【０００１】
【発明の属する技術分野】
本発明は、座標情報入力装置に関し、特に、マウス筐体にカメラ部を設け、且つ、操作者がマウス筐体を指に装着して操作できる構成とすることにより、ディスプレイ上の画面のカーソル位置変更の操作性を向上した座標情報入力装置に関する。
【０００２】
【従来の技術】
従来のマウスに代表される座標情報入力装置は、キーボードからデータ入力を行っているコンピュータの操作者がコンピュータのディスプレイ上の画面に表示されているカーソル位置を変更する際には、キーボードからマウスへ手を置き換えて操作するのが一般的である。
【０００３】
そこで、操作性の向上を図るべく、マウスを使用せずにカーソル位置を変更する技術として、指先でキーボードの近くに設置されたトラックボールやスライドパッドを操作する技術があるが、トラックボールやスライドパッドは指先の動作範囲がマウスの動作範囲よりも小さいため、マウスを使用する場合と比較すると、カーソル位置を動かすのに時間を要し、また、トラックボールやスライドパッドは指先の微小な面積のみでカーソル位置を把握するため、マウスにより５本の指と手でカーソル位置を把握する場合と比べると、カーソル位置が安定しないという問題がある。
【０００４】
また、マウスにデジタルカメラを備えて、デジタルカメラをコンピュータに接続するステップを不要とし、マウスとデジタルカメラの双方の機能性を単一ユニットで提供するものもある（例えば、特許文献１参照。）。
【０００５】
しかし、特許文献１に開示の技術は、従来の一般的なマウスの筐体構造内にデジタルカメラ機能を付加した構成である故、マウスによりディスプレイ上の画面を操作する際には、マウスを手で掴んで操作することが必要となり、座標位置入力動作中においては手が塞がったビジー状態となり、手を他の操作に使用できないという問題がある。
【０００６】
【特許文献１】
特開２００２ー２３９４４
【０００７】
【発明が解決しようとする課題】
上述のように、従来の一般的なマウスにより座標情報入力を行う場合、キーボードからデータ入力を行っているコンピュータの操作者がディスプレイ上の画面に表示されているカーソル位置を変更する際に、一旦、キーボードからマウスへ手を置き換えて操作する必要が生じるという課題がある。
【０００８】
また、マウスを使用せずに、トラックボールやスライドパッドを操作してカーソル位置を変更する技術は、トラックボールやスライドパッドは指先の動作範囲がマウスの動作範囲よりも小さいため、カーソル位置を動かすのに時間を要し、且つ、トラックボールやスライドパッドは指先の微小な面積のみでカーソル位置を把握するため、カーソル位置が安定しないという課題がある。
【０００９】
更に、従来のマウスの筐体構造内にデジタルカメラ機能を付加した構成として、デジタルカメラをコンピュータに接続するステップを不要とし、マウスとデジタルカメラの双方の機能性を単一ユニットで提供する技術は、マウスによりディスプレイ上の画面を操作する際には、従来のマウス操作と同様にマウスを手で掴んで操作することが必要となり、座標位置入力操作中においては手が塞がったビジー状態となり、手を他の操作に使用できないという課題がある。
【００１０】
本発明の目的は、上記課題を解決すべく、マウス筐体に画像データを捉えるカメラ部を設け、且つ、操作者の指に装着できる中空穴をマウス筐体に設けた構成として、マウスとデジタルカメラの双方の機能を備え、ディスプレイ上の画面のカーソル位置変更の操作性を向上した座標情報入力装置を提供することにある。
【００１１】
【課題を解決するための手段】
本発明の座標情報入力装置は、座標位置情報を入力してコンピュータのディスプレイ上の画面を操作する左マウスボタンおよび右マウスボタンと、画像データを捉えるためのカメラ部と、座標位置情報入力機能とカメラ機能との切り替え操作を行う機能選択ボタンと、カメラ部が捉えた画像データを受信し移動量を算出する変位処理回路と、カメラ部が捉えた画像データを受信しアナログデータからデジタルデータに変換する画像処理回路と、変位処理回路と画像処理回路と機能選択ボタンからの入力信号を制御する制御回路と、コンピュータと接続されるインターフェース回路と、左マウスボタンと右マウスボタンとカメラ部と機能選択ボタンと変位処理回路と画像処理回路と制御回路とインターフェース回路とを実装するマウス筐体とを有し、マウス筐体は、中空穴を有することを特徴とする。
【００１２】
中空穴は、円筒形状を有することを特徴とする。
【００１３】
マウス筐体は、コンピュータの操作者の指に装着されることを特徴とする。
【００１４】
制御回路は、機能選択ボタンからの受信信号により座標位置情報入力機能とカメラ機能とを切り替える機能切り替え回路を有することを特徴とする。
【００１５】
制御回路は、変位処理回路により算出された移動量を座標位置の移動量に変換する座標位置変換回路を有することを特徴とする。
【００１６】
制御回路は、画像処理回路から入力されたデジタル画像データを拡大・縮小する画像拡縮回路を有することを特徴とする。
【００１７】
機能選択ボタンは、１回押すことにより座標位置情報入力機能が有効となり、２回押すことによりカメラ機能が有効となることを特徴とする。
【００１８】
インターフェース回路は、無線インターフェース回路を有することを特徴とする。
【００１９】
マウス筐体は、指の移動によりカメラ部が捉える画像データが変化し、変化した画像データが変位処理回路へ送信され、変位処理回路が変化した画像データと移動前に受信した画像データとを比較して移動量を算出し、算出した移動量を制御回路へ送信することにより、ディスプレイ上の画面のカーソル位置の変更がなされることを特徴とする。
【００２０】
カメラ部は、デジタルカメラ機能を有することを特徴とする。
【００２１】
【発明の実施の形態】
次に、本発明の座標情報入力装置の第一の実施の形態について、図面を参照して説明する。
【００２２】
図１は、本発明の座標情報入力装置３０を指に装着した状態を上方向から見た斜視図、図２は、下方向から見た斜視図、図３は、本発明の座標情報入力装置３０の概略構成ブロック図である。
【００２３】
図１〜図３を参照すると、座標情報入力装置３０は、座標位置情報を入力してコンピュータ１１のディスプレイ（図示せず）上の画面を操作する左マウスボタン２および右マウスボタン３と、画像データを捉えるデジタルカメラの光学系を有するカメラ部６と、座標位置情報入力機能とカメラ機能との切り替え操作を行う機能選択ボタン４と、カメラ部６が捉えた画像データを受信し移動量を算出する変位処理回路７と、カメラ部６が捉えた画像データを受信しアナログデータからデジタルデータに変換する画像処理回路８と、変位処理回路７と画像処理回路８と機能選択ボタン４からの入力信号を制御する制御回路９と、コンピュータ１１とインターフェースケーブル１２を介して接続されるインターフェース回路５と、左マウスボタン２と右マウスボタン３とカメラ部６と機能選択ボタン４と変位処理回路７と画像処理回路８と制御回路９とインターフェース回路５とを実装するマウス筐体１とから構成され、マウス筐体１は、円筒形状の中空穴１ａが設けられコンピュータ１１の操作者の指に装着される構成となっている。
【００２４】
制御回路９は、機能選択ボタン４からの受信信号により座標位置情報入力機能とカメラ機能とを切り替える機能切り替え回路９１と、変位処理回路７により算出された移動量を座標位置の移動量に変換する座標位置変換回路９２と、画像処理回路８から入力されたデジタル画像データを拡大・縮小する画像拡縮回路９３とで構成される。
【００２５】
次に、上述のように構成された座標情報入力装置３０の動作について、図面を参照して説明する。
【００２６】
図４は、座標情報入力装置３０の動作を示すフローチャートである。
【００２７】
図４および図１、図２を参照すると、座標情報入力装置３０を手の指に装着してキーボード（図示せず）から入力作業を行っているコンピュータ１１の操作者は、コンピュータ１１のディスプレイの画面上のカーソル位置を変更する際に、まず機能選択ボタン４を１回押して座標情報入力機能を有効にし（Ｓ１１）、カメラ部６が捉えた画像データを変位処理回路７へ送信し（Ｓ１２）、変位処理回路７はカメラ部６からの画像データを格納し（Ｓ１３）、コンピュータ１１の操作者がカーソル位置を変更するために手を移動して座標情報入力装置３０を動かすとカメラ部６が捉える画像データが変化し、変化した画像データがカメラ部６から変位処理回路７へ送信され、変位処理回路７は変化した画像データと先に受信した画像データと比較して、画像のＸ方向とＹ方向（水平方向と垂直方向）の移動量を算出し（Ｓ１４）、変位処理回路７が算出した移動量を制御回路９へ送信し（Ｓ１５）、制御回路９は移動量を座標位置の移動量に変換し（Ｓ１６）、制御回路９は座標位置の移動量をインターフェース回路５を介してコンピュータ１１へ送信する（Ｓ１７）。
【００２８】
制御回路９からの座標位置の移動量を受信したコンピュータ１１は、カーソル位置を変更し、コンピュータ１１の操作者がカーソル位置を変更した後、左マウスボタン２と右マウスボタン３により、コンピュータ１１の画面を操作する場合は、操作者が左マウスボタン２または右マウスボタン３を押下し、左マウスボタン２または右マウスボタン３から制御回路９へ信号を送信し、制御回路９が左マウスボタン２または右マウスボタン３から受信した信号をインターフェース回路５を介してコンピュータ１１へ送信し、制御回路９の信号を受信したコンピュータ１１が画面操作を行い、コンピュータ１１の操作者が機能選択ボタン４を１回押して座標情報入力機能を停止する。
【００２９】
座標情報入力装置３０をカメラとして使用する場合は、機能選択ボタン４を２回押してカメラ機能を有効にし（Ｓ２１）、カメラ部６が捉えた画像データを画像処理回路８へ送信し（Ｓ２２）、画像処理回路８が画像データをアナログデータからデジタルデータへ変換し（Ｓ２３）、画像処理回路８がデジタルに変換した画像データを制御回路９へ送信し（Ｓ２４）、制御回路９が画像データをインターフェース回路５を介してコンピュータ１１へ送信する（Ｓ２５）。
【００３０】
なお、座標情報入力装置３０をカメラとして使用している際に、操作者が左マウスボタン２を押した場合は、左マウスボタン２からの信号を受信した制御回路９が、画像処理回路８から入力されたデジタル画像データを拡大して、インターフェース回路５を介してコンピュータ１１に拡大したデジタル画像データを送信し、一方操作者が右マウスボタン３を押した場合は、右マウスボタン３からの信号を受信した制御回路９が、画像処理回路８から入力されたデジタル画像データを縮小して、インターフェース回路５を介してコンピュータ１１に縮小したデジタル画像データを送信する。
【００３１】
上述のように、座標情報入力装置３０は、マウス筐体１に画像データを捉えるカメラ部６を設け、且つ、操作者の指に装着できる中空穴１ａをマウス筐体１に設けるという簡単な構成により、マウスとデジタルカメラの双方の機能を備え、ディスプレイ上の画面のカーソル位置の変更の操作性を向上できるという効果がある。
【００３２】
次に、本発明の座標情報入力装置の第二の実施の形態について、図面を参照して説明する。
【００３３】
図５は、第二の実施の形態の座標情報入力装置４０を指に装着した状態を上方向から見た斜視図、図６は、座標情報入力装置４０の概略構成ブロック図である。
【００３４】
なお、図６を参照すると、既述の図３に示す第一の実施の形態の座標情報入力装置３０の構成と異なる点は、インターフェース回路５の替わりに無線インターフェース回路１０を設ける点のみであり、第一の実施の形態の座標情報入力装置３０と同一の点に関しての説明は省略し、以下に異なる点についてのみ説明する。
【００３５】
図５において、操作者は、まず座標情報入力装置４０を指に装着することで、コンピュータ２１の操作を行うが、図６に示すように、無線インターフェース回路１０と図示しないコンピュータ２１の無線インターフェース回路とを使用することにより、操作者は、コンピュータ２１から離れた場所からコンピュータ２１のカーソル位置を変更することができ、また、座標情報入力装置４０の機能選択ボタン４によりカメラ機能を有効にした場合には、操作者はコンピュータ２１から離れた場所にある画像データをコンピュータ２１に入力できるという効果を発揮する。
【００３６】
【発明の効果】
以上説明したように、本発明の座標情報入力装置は、マウス筐体に画像データを捉えるカメラ部と操作者の指に装着できる中空穴を設ける構成により、マウスとデジタルカメラの双方の機能を備え、マウス筐体の中空穴に指を挿入した状態で操作でき、マウス筐体を手で掴む操作を不要としてディスプレイ上の画面のカーソル位置の変更を可能とし、マウス筐体の操作性を向上できるという効果がある。
【００３７】
また、機能選択ボタンを押すという簡単な操作により、座標位置情報入力機能とカメラ機能との切り替えを行うことができるという効果がある。
【００３８】
更に、コンピュータとのインターフェースとして無線インターフェース回路を設けることにより、コンピュータから離れた場所からコンピュータのカーソル位置を変更することができ、また、座標情報入力装置のカメラ機能を有効にした場合には、コンピュータから離れた場所にある画像データをコンピュータに入力できるという効果がある。
【図面の簡単な説明】
【図１】本発明の第一の実施の形態の座標情報入力装置を指に装着した状態を上方向から見た斜視図である。
【図２】本発明の第一の実施の形態の座標情報入力装置を指に装着した状態を下方向から見た斜視図である。
【図３】本発明の第一の実施の形態の座標情報入力装置の概略構成ブロック図である。
【図４】本発明の第一の実施の形態の座標情報入力装置の動作を示すフローチャートである。
【図５】本発明の第二の実施の形態の座標情報入力装置を指に装着した状態を上方向から見た斜視図である。
【図６】本発明の第二の実施の形態の座標情報入力装置の概略構成ブロック図である。
【符号の説明】
１　　マウス筐体
１ａ　　中空穴
２　　左マウスボタン
３　　右マウスボタン
４　　機能選択ボタン
５　　インターフェース回路
６　　カメラ部
７　　変位処理回路
８　　画像処理回路
９　　制御回路
９１　　機能切り替え回路
９２　　座標位置変換回路
９３　　画像拡縮回路
１０　　無線インターフェース回路
１１　　コンピュータ
１２　　インターフェースケーブル
３０、４０　　座標情報入力装置
【図１】
2004145527.tif 000003
【図２】
2004145527.tif 000004
【図３】
2004145527.tif 000005
【図４】
2004145527.tif 000006
【図５】
2004145527.tif 000007
【図６】
2004145527.tif 000008